【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
内部に放電ガスが封入された複数の発光管を並列に配置してあり、各発光管の長手方向に沿ったアドレス電極が形成してあるアドレス電極シートと、全ての発光管を横切る方向に延伸する第１の表示電極及び第２の表示電極の対が複数形成してある表示電極シートとを有し、前記アドレス電極シートと前記表示電極シートとの間に前記複数の発光管を挟持してある発光管アレイ型表示サブモジュールを、発光管の長手方向と交差する方向に複数接続して構成された表示装置において、
前記表示電極シート上の前記第１の表示電極及び前記第２の表示電極の形状は、接続された全ての発光管アレイ型表示サブモジュールについて共通であり、
隣接する前記発光管アレイ型表示サブモジュールの前記第１の表示電極同士及び前記第２の表示電極同士を接続する第一のコネクタと、
前記発光管アレイ型表示サブモジュールの前記第１の表示電極及び前記第２の表示電極と駆動回路基板とを接続する第二のコネクタとを用いて、
複数の前記発光管アレイ型表示サブモジュールを接続してあることを特徴とする表示装置。
【請求項２】
前記表示電極シートは表示面側に配置してあり、
隣接する発光管アレイ型表示サブモジュールの間で前記第１の表示電極及び前記第２の表示電極とともに裏面側へ屈曲され、前記第一のコネクタにより接続されていることを特徴とする請求項１記載の表示装置。
【請求項３】
前記第一のコネクタ及び前記第二のコネクタは前記第１の表示電極及び前記第２の表示電極と接続する接続基板を有し、
該接続基板を介して、前記第１の表示電極同士、前記第２の表示電極同士及び接地電極同士を接続するようにしてあることを特徴とする請求項１又は２記載の表示装置。
【請求項４】
前記接続基板は、前記発光管アレイ型表示サブモジュールの裏面に、該裏面と略直交する方向に配設してあり、前記第１の表示電極及び前記第２の表示電極の屈曲部分と圧着するようにしてあることを特徴とする請求項３記載の表示装置。
【請求項５】
前記接続基板は、前記発光管アレイ型表示サブモジュールの裏面に、該裏面と略平行な方向に配設してあり、前記第１の表示電極及び前記第２の表示電極の屈曲部分と圧着するようにしてあることを特徴とする請求項３記載の表示装置。
【請求項６】
内部に放電ガスが封入された複数の発光管を並列に配置してあり、各発光管の長手方向に沿ったアドレス電極が形成してあるアドレス電極シートと、全ての発光管を横切る方向に延伸する第１の表示電極及び第２の表示電極の対が複数形成してある表示電極シートとを有し、前記アドレス電極シートと前記表示電極シートとの間に前記複数の発光管を挟持してある発光管アレイ型表示サブモジュールにおいて、
前記表示電極シート上に交互に形成された前記第１の表示電極及び前記第２の表示電極の両端が、それぞれ最も外側に配置してある発光管と略平行な共通の位置にて終端していることを特徴とする発光管アレイ型表示サブモジュール。
【請求項７】
請求項６記載の発光管アレイ型表示サブモジュールを複数個連結した表示装置において、
各発光管アレイ型表示サブモジュールの前記表示電極シートは表示面側に設けられており、
前記表示電極シートごとの端部は、隣接する発光管アレイ型表示サブモジュールの間で前記第１の表示電極及び前記第２の表示電極とともに裏面側へ屈曲されてコネクタにそれぞれ接続され、隣接するコネクタ間がフレキシブルケーブルで接続されていることを特徴とする表示装置。
【手続補正２】
【補正対象書類名】明細書
【補正対象項目名】００１１
【補正方法】変更
【補正の内容】
【００１１】
上記目的を達成するために第１発明に係る表示装置は、内部に放電ガスが封入された複数の発光管を並列に配置してあり、各発光管の長手方向に沿ったアドレス電極が形成してあるアドレス電極シートと、全ての発光管を横切る方向に延伸する第１の表示電極及び第２の表示電極の対が複数形成してある表示電極シートとを有し、前記アドレス電極シートと前記表示電極シートとの間に前記複数の発光管を挟持してある発光管アレイ型表示サブモジュールを、発光管の長手方向と交差する方向に複数接続して構成された表示装置において、前記表示電極シート上の前記第１の表示電極及び前記第２の表示電極の形状は、接続された全ての発光管アレイ型表示サブモジュールについて共通であり、隣接する前記発光管アレイ型表示サブモジュールの前記第１の表示電極同士及び前記第２の表示電極同士を接続する第一のコネクタと、前記発光管アレイ型表示サブモジュールの前記第１の表示電極及び前記第２の表示電極と駆動回路基板とを接続する第二のコネクタとを用いて、複数の前記発光管アレイ型表示サブモジュールを接続してあることを特徴とする。
【手続補正３】
【補正対象書類名】明細書
【補正対象項目名】００１２
【補正方法】変更
【補正の内容】
【００１２】
第１発明では、内部に放電ガスが封入された複数の発光管を並列に配置してあり、各発光管の長手方向に沿ったアドレス電極が形成してあるアドレス電極シートと、全ての発光管を横切る方向に延伸する第１の表示電極及び第２の表示電極の対が複数形成してある表示電極シートとを有し、アドレス電極シートと表示電極シートとの間に複数の発光管を挟持してある発光管アレイ型表示サブモジュールを、発光管の長手方向と交差する方向に複数接続して、一枚の発光管アレイ型表示システムモジュールを構成する。表示電極シート上の第１の表示電極及び第２の表示電極の形状は、接続された全ての発光管アレイ型表示サブモジュールについて共通であり、隣接する発光管アレイ型表示サブモジュールの第１の表示電極同士及び第２の表示電極同士を接続する第一のコネクタと、発光管アレイ型表示サブモジュールの第１の表示電極及び第２の表示電極と駆動回路基板とを接続する第二のコネクタとを用いて、複数の発光管アレイ型表示サブモジュールを接続することにより、発光管アレイ型表示サブモジュールの配置に応じて第１の表示電極及び第２の表示電極を形成するパターンを変更する必要が無く、共通のパターンで形成された第１の表示電極及び第２の表示電極を、位置に応じたコネクタを選択して接続すれば足りることから、製造工数を大きく削減することができ、安価な表示装置を提供することができる。また、発光管アレイ型表示サブモジュールの入れ替えが自由であり、メンテナンス工数も削減することが可能となる。
【手続補正４】
【補正対象書類名】明細書
【補正対象項目名】００１４
【補正方法】変更
【補正の内容】
【００１４】
また、第２発明に係る表示装置は、第１発明において、前記表示電極シートは表示面側に配置してあり、隣接する発光管アレイ型表示サブモジュールの間で前記第１の表示電極及び前記第２の表示電極とともに裏面側へ屈曲され、前記第一のコネクタにより接続されていることを特徴とする。
第２発明では、表示電極シートは表示面側に配置してあり、隣接する発光管アレイ型表示サブモジュールの間で第１の表示電極及び第２の表示電極とともに裏面側へ屈曲され、第一のコネクタにより接続されている。これにより、発光管アレイ型表示サブモジュールの配置に応じて第１の表示電極及び第２の表示電極を形成するパターンを変更する必要が無く、共通のパターンで形成された第１の表示電極及び第２の表示電極を、位置に応じたコネクタを選択して裏面側にて接続すれば足りることから、製造工数を大きく削減することができ、安価な表示装置を提供することができる。また、発光管アレイ型表示サブモジュールの入れ替えが自由であり、メンテナンス工数も削減することが可能となる。
また、第３発明に係る表示装置は、第１又は第２発明において、前記第一のコネクタ及び前記第二のコネクタは前記第１の表示電極及び前記第２の表示電極と接続する接続基板を有し、該接続基板を介して、前記第１の表示電極同士、前記第２の表示電極同士及び接地電極同士を接続するようにしてあることを特徴とする。
【手続補正５】
【補正対象書類名】明細書
【補正対象項目名】００１５
【補正方法】変更
【補正の内容】
【００１５】
第３発明では、第一のコネクタ及び第二のコネクタは第１の表示電極及び第２の表示電極と接続する接続基板を有しており、接続基板を介して、第１の表示電極同士、第２の表示電極同士及び接地電極同士をケーブルで接続することにより、第１の表示電極及び第２の表示電極と接地電極とが短絡しないように確実に離隔することができる。また、組み立てた発光管アレイ型表示システムモジュールを今一度複数の発光管アレイ型表示サブモジュールに解体する、再度一枚の発光管アレイ型表示システムモジュールを構成する等の作業が繰り返された場合であっても、コネクタの接続基板に接続された第１の表示電極及び第２の表示電極に過剰な負荷が生じることがなく、過剰な負荷に起因する第１の表示電極及び第２の表示電極の変形を回避することができ、断線等が生じる可能性が低い高品質の表示装置を提供することが可能となる。
【手続補正６】
【補正対象書類名】明細書
【補正対象項目名】００１６
【補正方法】変更
【補正の内容】
【００１６】
また、第４発明に係る表示装置は、第３発明において、前記接続基板は、前記発光管アレイ型表示サブモジュールの裏面に、該裏面と略直交する方向に配設してあり、前記第１の表示電極及び前記第２の表示電極の屈曲部分と圧着するようにしてあることを特徴とする。
【手続補正７】
【補正対象書類名】明細書
【補正対象項目名】００１７
【補正方法】変更
【補正の内容】
【００１７】
第４発明では、接続基板を発光管アレイ型表示サブモジュールの裏面に、該裏面と略直交する方向に配設し、第１の表示電極及び第２の表示電極の屈曲部分と圧着することにより、接続基板を表示電極シートに固着することができ、ケーブル接続の脱着により第１の表示電極及び第２の表示電極に過剰な負荷が生じることが無く、障害の発生による接触不良が生じる可能性が低く、確実な接続を行うことが可能となる。
【手続補正８】
【補正対象書類名】明細書
【補正対象項目名】００１８
【補正方法】変更
【補正の内容】
【００１８】
また、第５発明に係る表示装置は、第３発明において、前記接続基板は、前記発光管アレイ型表示サブモジュールの裏面に、該裏面と略平行な方向に配設してあり、前記第１の表示電極及び前記第２の表示電極の屈曲部分と圧着するようにしてあることを特徴とする。
【手続補正９】
【補正対象書類名】明細書
【補正対象項目名】００１９
【補正方法】変更
【補正の内容】
【００１９】
第５発明では、接続基板を発光管アレイ型表示サブモジュールの裏面に、該裏面と略平行な方向に配設し、第１の表示電極及び第２の表示電極の屈曲部分と圧着することにより、接続基板を表示電極シートに固着することができ、ケーブル接続の脱着により第１の表示電極及び第２の表示電極に過剰な負荷が生じることが無く、障害の発生による接触不良が生じる可能性が低く、確実な接続を行うことが可能となる。また、コネクタ部が発光管アレイ型表示サブモジュールの裏面側に大きく突出することが無く、より薄型の表示装置を提供することが可能となる。
また、第６発明に係る発光管アレイ型表示サブモジュールは、内部に放電ガスが封入された複数の発光管を並列に配置してあり、各発光管の長手方向に沿ったアドレス電極が形成してあるアドレス電極シートと、全ての発光管を横切る方向に延伸する第１の表示電極及び第２の表示電極の対が複数形成してある表示電極シートとを有し、前記アドレス電極シートと前記表示電極シートとの間に前記複数の発光管を挟持してある発光管アレイ型表示サブモジュールにおいて、前記表示電極シート上に交互に形成された前記第１の表示電極及び前記第２の表示電極の両端が、それぞれ最も外側に配置してある発光管と略平行な共通の位置にて終端していることを特徴とする。
さらに第７発明に係る表示装置は、第６発明の発光管アレイ型表示サブモジュールを複数個連結した表示装置において、各発光管アレイ型表示サブモジュールの前記表示電極シートは表示面側に設けられており、前記表示電極シートごとの端部は、隣接する発光管アレイ型表示サブモジュールの間で前記第１の表示電極及び前記第２の表示電極とともに裏面側へ屈曲されてコネクタにそれぞれ接続され、隣接するコネクタ間がフレキシブルケーブルで接続されていることを特徴とする。
【手続補正１０】
【補正対象書類名】明細書
【補正対象項目名】００２３
【補正方法】変更
【補正の内容】
【００２３】
並列に配置された複数の発光管３１、３１、・・・は、各発光管の長手方向下面にコンタクトする位置関係で配設されているアドレス電極３２、３２、・・・を有する背面側（裏面側）アドレス電極シート３３と、各発光管の上面を横切る方向に配設されている表示電極対３４、３４、・・・を有する表示面側表示電極シート３５とに挟持されている。表示電極シート３５はフレキシブルシートであり、例えばポリカーボネートフィルム、ＰＥＴ（ポリエチレンテレフタレート）フィルム等で構成されている。